(57)【要約】【課題】中枠の裏側に取り付けられるメインセットが外れているか否かを検出することが出来ると共に、外枠に対して中枠が開放されているか否かを検出することが出来る検出手段を備えた、新規な構造のパチンコ機を提供することを、目的とする。【解決手段】外枠１２の幅方向一方の側で軸支されることにより、外枠１２に対して開閉可能に取り付けられる中枠１６を備えていると共に、かかる中枠１６に対して裏側から着脱可能に取り付けられるメインセット６２を備えており、更に、中枠１６が外枠１２に対して閉じられた状態で、メインセット６２において外枠１２の内周面１３８と対向する位置に設けられており、外枠１２に対するメインセット６２の位置が所定の位置からずれたか否かを検出する位置ずれ検出手段１２４を備えている。【選択図】図１３
2008006038.tif 000002
【特許請求の範囲】
【請求項１】
外枠と、
該外枠の幅方向一方の側で軸支されることにより、該外枠に対して開閉可能に取り付けられる中枠と、
該中枠に対して裏側から着脱可能に取り付けられるメインセットと、
前記中枠が前記外枠に対して閉じられた状態で、前記メインセットにおいて該外枠の内周面と対向する位置に設けられており、該外枠に対する該メインセットの位置が所定の位置からずれたか否かを検出する位置ずれ検出手段と
を、備えていることを特徴とするパチンコ機。
【請求項２】
前記中枠の前記外枠に対する回動中心軸線付近に前記位置ずれ検出手段が設けられている請求項１に記載のパチンコ機。
【発明の詳細な説明】
【技術分野】
【０００１】
本発明は、不正行為を検出する検出手段が設けられたパチンコ機に関するものである。
【背景技術】
【０００２】
従来から、パチンコ機においては、不正行為に対する様々な対策が施されている。具体的には、例えば、特許文献１に記載されているように、外枠に対して中枠としての前枠が開放されているか否かを検出するセンサを備えることが提案されている。
【０００３】
そこにおいて、パチンコ機というのは、中枠の裏側に対して、パチンコ機の作動全体を制御する主制御回路が形成された主制御基板が収容されている基板ケースや賞球払出機構等が取り付けられるメインセットとしての機構盤（セット盤）等が取り付けられていることから、ただ単に中枠が外枠に対して開放されているか否かを検出するだけでは様々な不正行為を検出することが難しい。特に、中枠の裏側というのは、中枠が外枠に対して閉じられた状態では外部から視認出来ないようになっていることから、中枠の裏側の状態を確認できるようなセンサを採用することが、様々な不正行為を検出するという観点から望ましい。
【０００４】
ところで、特許文献１に記載の如きセンサを含む各種のセンサは、殆どの場合、主制御回路に接続されるようになっているが、かかる主制御回路を構成する処理装置（ＣＰＵ）は、不正行為を防止する観点から、処理能力が低く設定されており、それに伴って、入力ポートの数も少なくなっている。それ故、様々な不正行為を検出するために、採用されるセンサの数を多くすることは、現実的には難しい。
【０００５】
なお、特許文献２には、一つの開放検出スイッチを用いて、中枠に対してガラス扉が開放されているか否かを検出すると共に、中枠に対してセット盤が外れているか否かを検出する遊技機が記載されている。
【０００６】
しかしながら、特許文献２に記載の遊技機においては、上述の如き開放検出スイッチの他に、中枠が開放されているか否かを検出する中枠開放検出スイッチを別途設ける必要があることから、採用される検出スイッチの数が増えてしまうという問題がある。
【０００７】
【特許文献１】特開２０００−１７６１３９号公報
【特許文献２】特開２００３−１７５２６３号公報
【発明の開示】
【発明が解決しようとする課題】
【０００８】
ここにおいて、本発明は、上述の如き事情を背景として為されたものであって、その解決課題とするところは、中枠の裏側に取り付けられるメインセットが外れているか否かを検出することが出来ると共に、外枠に対して中枠が開放されているか否かを検出することが出来る検出手段を備えた、新規な構造のパチンコ機を提供することにある。
【課題を解決するための手段】
【０００９】
以下、このような課題を解決するために為された本発明の態様を記載する。なお、以下に記載の各態様において採用される構成要素は、可能な限り任意の組み合わせで採用可能である。
【００１０】
本発明のパチンコ機は、外枠の幅方向一方の側で軸支されることにより、外枠に対して開閉可能に取り付けられる中枠を備えていると共に、かかる中枠に対して裏側から着脱可能に取り付けられるメインセットを備えており、更に、中枠が外枠に対して閉じられた状態で、メインセットにおいて外枠の内周面と対向する位置に設けられており、外枠に対するメインセットの位置が所定の位置からずれたか否かを検出する位置ずれ検出手段を備えていることを、特徴とする。
【００１１】
このような本発明に従う構造とされたパチンコ機においては、中枠の裏側に取り付けられたメインセットの外枠に対する所定位置からの位置ずれが位置ずれ検出手段によって検出されるようになっていることから、中枠が外枠に対して開放されていることを検出することが可能になると共に、中枠が外枠に対して閉じられた状態であるにも拘わらず、位置ずれ検出手段によってメインセットの外枠に対する位置ずれが検出された場合には、メインセットが中枠に対して外れていることを検出することが可能となる。
【００１２】
従って、本発明のパチンコ機においては、中枠の裏側に取り付けられるメインセットの外枠に対する所定位置からの位置ずれ検出を巧く利用することにより、外枠に対して中枠が開放されているか否かを検出することが可能になると共に、中枠に対してメインセットが外れているか否かを検出することが可能になるのである。
【００１３】
なお、本発明において、メインセットとは、パチンコ機を構成する各種の部品や装置等が取り付けられる部材であれば、特に限定されることはなく、例えば、パチンコ機の裏側に設けられた賞球タンクに貯留されている賞球（遊技球）をパチンコ機の表側に設けられた打球供給皿へと排出する機構等が取り付けられる部材等によって構成される。
【００１４】
また、本発明において、位置ずれ検出手段とは、メインセットと外枠の位置ずれを検出することが出来るものであれば、特に限定されることはなく、例えば、マイクロスイッチやリミットスイッチ等、従来から公知の機械式乃至は接触式の検出手段であっても良いし、光電スイッチ等の光学式のセンサや磁気感知式のセンサ等、従来から公知の非接触式の検出手段であっても良い。
【００１５】
さらに、本発明において、「中枠が外枠に対して閉じられた状態で、メインセットにおいて外枠の内周面と対向する位置に設けられて」とは、裏側にメインセットが取り付けられた中枠が外枠に対して閉じられた状態からのメインセットと外枠の相対的な位置関係の変化を検出することが可能な位置に位置ずれ検出手段が設けられていれば良く、位置ずれ検出手段がメインセットの外表面に対して直接に取り付けられている必要はない。例えば、メインセットの内側に位置ずれ検出手段を設けておき、かかる位置ずれ検出手段が、メインセットの外表面から外側に向かって突出するように設けられた部材を介して、メインセットの外枠に対する位置ずれ検出をするようにしても良い。
【００１６】
更にまた、本発明において、位置ずれ検出手段は中枠の外枠に対する回動中心軸線付近に設けられていることが望ましい。これにより、位置ずれ検出手段が中枠の外枠に対する回動中心軸線から離れた位置に設けられている場合に比して、中枠の重みに起因する位置ずれ検出手段の初期状態での不具合、例えば、中枠の裏側にメインセットが正確に取り付けられている状態で、中枠が外枠に対して閉じられているにも拘わらず、メインセットが外枠に対して所定位置から位置ずれしていると位置ずれ検出手段が検出してしまう不具合等を有利に回避することが可能となる。
【発明を実施するための最良の形態】
【００１７】
以下、本発明を更に具体的に明らかにするために、本発明の実施形態について、図面を参照しつつ、詳細に説明する。なお、以下の説明において、上下方向及び左右方向とは、原則として、遊技者から見た上下方向及び左右方向となる、図１中の上下方向及び左右方向をいうものとする。また、表側とは、原則として、遊技者側をいうものとする。
【００１８】
先ず、図１乃至４には、本発明の第一の実施形態としてのパチンコ機１０が示されている。このパチンコ機１０は、縦長な方形状に枠組み形成された外枠１２に対して、遊技領域２８が形成された遊技盤１４を保持すると共に、パチンコ機１０の主要な構成の略全てが集約して設けられる中枠１６が、外枠１２の幅方向一方（本実施形態においては、左側）の端部を中心に回動可能に取り付けられた構造とされている。
【００１９】
そこにおいて、中枠１６の前面には、中枠１６の幅方向一方（本実施形態においては、左側）の端部を中心にして、ガラス扉１８が回動可能に設けられている。このガラス扉１８は、図５にも示されているように、ガラス板２０が取り付けられたガラス窓２２を備えており、ガラス扉１８の左側の上下端部にそれぞれ設けられたヒンジ２４ａ，２４ｂが、中枠１６の左側の上下端部に設けられたガラス扉用ヒンジ２６ａ，２６ｂにそれぞれ連結されることによって、ガラス扉１８が、中枠１６に対して、左側端部を中心に回動可能に取り付けられている。
【００２０】
そして、ガラス扉１８を閉じた状態で、中枠１６に取り付けられた遊技盤１４に形成されている遊技領域２８が、ガラス窓２２を通して外部から視認可能とされている。なお、遊技領域２８には、液晶表示器やＣＲＴなどの表示画面や、入賞装置、多数の遊技釘等が設けられているが、それらの図示は省略している。
【００２１】
また、ガラス扉１８の前面には、ガラス窓２２の下方において、打球供給皿としての上皿３０が設けられている。そして、上皿３０は、ガラス扉１８の表裏方向に貫通する連通孔３２によって、ガラス扉１８の裏側と連通せしめられている。そこにおいて、本実施形態では、連通孔３２の裏側に対して、筒状に突出せしめられた筒状部３３が形成されており、特に、本実施形態の筒状部３３は、後方（奥側）に行くに連れてやや上方に傾斜せしめられている。
【００２２】
なお、筒状部３３には、例えば、鉄やアルミニウム合金等の高剛性材から形成されて、筒状部３３の上面と左右側面を覆う保護板３５が被せられており、それによって、ドリル等の工具で筒状部３３に対して不正に穴が開けられたりすることのないようにされている。
【００２３】
また、ガラス扉１８の回動中心軸線が位置するほうとは反対側の端部（本実施形態においては、右側）には、切欠３４が形成されている。そして、中枠１６に装着された枠鍵３６が、切欠３４から外部に露出せしめられている。そこにおいて、本実施形態の枠鍵３６は、ガラス扉１８を中枠１６に対して密着した状態に保持するのみならず、中枠１６を外枠１２に対して密着した状態に保持するようになっている。
【００２４】
上述の如きガラス扉１８が開閉可能に組み付けられた中枠１６は、遊技盤１４の遊技領域２８に略対応する形状を有する貫通窓３８が貫設された略枠体形状とされており、左側の上下端部に設けられたヒンジ４０ａ，４０ｂを介して外枠１２に対して開閉可能に取り付けられている。即ち、本実施形態では、ヒンジ４０ａ，４０ｂの中心軸線：Ｌが、中枠１６の回動中心軸線とされているのである。
【００２５】
そして、図４に示すように、中枠１６の裏面から遊技盤１４が重ね合わされて、遊技盤１４が貫通窓３８の下端面４２によって下側から支持されると共に、中枠１６の裏面における貫通窓３８の周囲（本実施形態においては、中枠１６の裏面における略四隅部）に複数（本実施形態では、４つ）設けられたスライドレバー４４が遊技盤１４のほうにスライドされることにより、遊技盤１４が、中枠１６とスライドレバー４４の間で狭持されて、中枠１６に対して取り付けられるようになっている。その結果、遊技領域２８が貫通窓３８内に位置せしめられるようになっている。なお、理解を容易にするために、図４では、遊技盤１４の裏側に取り付けられる液晶表示器１１３等の図示は省略してある。
【００２６】
また、中枠１６における貫通窓３８の左側下方には、略矩形状をもって後方に突出せしめられた凹状部５４が形成されており、かかる凹状部５４の後側壁部５６には、後側壁部５６の表裏方向に貫通する貫通孔５８が形成されている。なお、貫通孔５８の裏側の周縁部には、貫通孔５８の全周に亘って僅かに後方に突出する嵌合用リブ５９が形成されている。
【００２７】
また、凹状部５４の上端部および左端部には、前方に僅かに突出するＬ字状の位置決めリブ６０が形成されている。そして、ガラス扉１８が中枠１６に対して閉じられることにより、筒状部３３が凹状部５４に差し入れられて、筒状部３３の後端面が後側壁部５６に当接せしめられたり、或いは、極近い位置に接近せしめられたりするようになっている。その結果、連通孔３２と貫通孔５８が実質的に接続された状態となり、上皿３０と中枠１６の裏側が連通状態とされる。
【００２８】
このような構造とされた中枠１６の裏面には、メインセット６２が取り付けられるようになっている。このメインセット６２は、図６や図７に示されているように、全体として、中央窓６４を有する枠体形状とされている。また、メインセット６２の背面（裏面）の上端部には、賞球としての遊技球を貯留する賞球タンク６６が設けられており、かかる賞球タンク６６に貯留された遊技球は、賞球タンク６６の下方に設けられたタンクレール７０によって整列されてから賞球通路６８を通った後、パルスモータ等を駆動源とする賞球払出装置７６によって、メインセット６２の内部に形成された内部通路７３へ排出されるようになっている。そして、このようにして内部通路７３に排出されてきた遊技球は、メインセット６２の前面において中央窓６４の下方に形成されて、メインセット６２が中枠１６の裏側に取り付けられた状態で貫通孔５８に接続される開口部７４からメインセット６２の前面側に出てきた後、中枠１６内を裏側から表側へと通ってくることにより、上皿３０に到達するようになっている。なお、図７では、賞球タンク６６の図示は省略してある。
【００２９】
また、メインセット６２の裏面における中央窓６４の下方には、遊技動作を制御する主制御回路１４４（後述する）が形成された主制御基板を収容する主制御基板ケース８０、外部から電力を得ると共に、後述する光制御回路１４８が形成された光制御基板等の各種制御基板や駆動装置へ電力を分配して供給する電源基板を収容する電源基板ケース８２が設けられている。
【００３０】
上述の如き構造とされたメインセット６２は、図２に示すように、中枠１６の裏面に取り付けられる。そこにおいて、中枠１６の裏面における幅方向一方の側（本実施形態では、図２中の右側）の上下端部には、所定寸法に亘って後方に突出する軸受８６，８８が設けられており、特に本実施形態では、これらの軸受８６，８８に対して、図８にモデル図として示すように、軸受８６，８８の厚さ方向に貫設して中枠１６の表裏方向に延びる長孔形状の軸孔９０、９２が形成されている。
【００３１】
一方、メインセット６２において軸受８６，８８と同じ側（本実施形態では、図２中の右側）の上下端部には、下方に突出する軸９４，９６が設けられている。そして、これらの軸９４．９６が、軸孔９０，９２に対して上方から挿通されて軸受８６，８８と軸９４，９６が連結されることによってヒンジ機構が構成されており、その結果、メインセット６２が中枠１６に対して着脱可能且つ開閉可能に取り付けられている。
【００３２】
また、中枠１６の背面における四隅に近接した位置には、後述するナイラッチ１０４を取り付けるための取付穴９８ａ，９８ｂ，９８ｃ，９８ｄが設けられている（図４参照）。なお、取付穴９８は、中枠１６に取り付けられるメインセット６２の四隅に近接した位置に形成されることが望ましいが、取付穴９８の形成位置はメインセット６２の固着強度や他部材との配設スペースなどを考慮して設定されるものである。そこにおいて、本実施形態では、取付穴９８ａは、中枠１６の背面視において上端部における右端部分よりもやや内方に形成されていると共に、取付穴９８ｄは、中枠１６の背面視において下端部における左端部分よりもやや内方に形成されている。
【００３３】
そして、中枠１６に対して軸受８６，８８および軸９４，９６によって開閉可能に取り付けられたメインセット６２が閉じられると、中枠１６の背面に対してメインセット６２が重ね合わされるようになっている。また、この状態で、メインセット６２において取付穴９８ａ，９８ｂ，９８ｃ，９８ｄと重なり合う部位には、それぞれ、メインセット６２を貫通する挿通穴１００ａ，１００ｂ，１００ｃ，１００ｄが貫設されている。
【００３４】
そこにおいて、本実施形態では、取付穴９８ａ，９８ｃ，９８ｄは、図９に取付穴９８ａを例にモデル図として示すように、後方に突出する円筒状部１０１の後方端面に貫設された貫通孔によって形成されている一方、挿通穴１００ａ，１００ｃ，１００ｄの前面には、前方に突出する円筒形状の外嵌筒部１０２が形成されている。そして、外嵌筒部１０２の内径寸法が、円筒状部１０１の外径寸法より僅かに大きくされていることによって、メインセット６２が閉じられた状態で、外嵌筒部１０２が円筒状部１０１に外嵌せしめられるようになっている。
【００３５】
そして、メインセット６２が閉じられた状態で、挿通穴１００ａ，１００ｂ，１００ｃ，１００ｄの背面からナイラッチ１０４が挿通されて取付穴９８ａ，９８ｂ，９８ｃ，９８ｄに取り付けられることによって、メインセット６２が中枠１６に対して閉状態で固定されるようになっている。
【００３６】
そこにおいて、本実施形態におけるナイラッチ１０４は、図１０に概略を示すように、グロメット１０５とプランジャ１０６によって構成されている。このグロメット１０５は、円板形状とされた円板部１０７と、周方向で４つに分割された先端部１０８が円筒部１０９によって接続された一体成形部品とされており、部材の弾性によって先端部１０８が開閉可能とされている。そして、グロメット１０５の中心軸上には、円板部１０７と円筒部１０９を貫通する挿通孔１１０が形成されている。一方、プランジャ１０６には、軸方向中間部分が縮径せしめられた裁頭円錐形状を有する操作部１１１と、操作部１１１から略円柱形状をもって軸方向に延びる作用部１１２が形成されている。なお、作用部１１２の先端部および基端部は僅かに径寸法が大きくされており、それによって、作用部１１２の先端部および基端部の径寸法が、挿通孔１１０の内径寸法と略等しくされている。
【００３７】
そして、グロメット１０５の挿通孔１１０に対して、円板部１０７側からプランジャ１０６の作用部１１２が挿通されるようになっており、作用部１１２が先端方向に押し込まれることによって、グロメット１０５の先端部１０８を内部から押し開くようにされている。
【００３８】
このような構造とされたナイラッチ１０４が、図９に挿通穴１００ａを例に示すように、メインセット６２の背面から挿通穴１００ａに挿通されて、グロメット１０５の先端部１０８が取付穴９８ａに挿通される。そして、プランジャ１０６が先端方向に押し込まれ、先端部１０８が開かれて、開状態に保持されることにより、先端部１０８と円板部１０７の間で、メインセット６２と円筒状部１０１の後端面が挟持される。これにより、中枠１６に対してメインセット６２が押し付けられた状態で固定されることとなる。
【００３９】
そこにおいて、メインセット６２には、中央窓６４が設けられていることから、メインセット６２が閉じられた際に、遊技盤１４の裏面に配設された液晶表示器１１３等は、メインセット６２の中央窓６４内に位置せしめられて、メインセット６２と干渉することのないようにされている。
【００４０】
特に本実施形態では、ヒンジ機構を構成する軸孔９０，９２が中枠１６の表裏方向に延びる長孔形状とされていることから、メインセット６２を閉じる際には、軸９４，９６を軸孔９０，９２の後端部に位置せしめた状態で、即ち、メインセット６２を中枠１６から所定距離隔てた状態で予めメインセット６２を閉じる方向に回動せしめた後に、メインセット６２の全体を中枠１６に対して接近せしめることにより、メインセット６２が液晶表示器１１３等に対して干渉することがないようにされている。一方、メインセット６２を開く際には、先ずメインセット６２の全体を軸孔９０，９２に沿って後方に移動せしめて、軸９４，９６が軸孔９０，９２の後端部に位置せしめられた状態で回動せしめることにより、遊技盤１４の裏面に配設された液晶表示器１１３等とメインセット６２が干渉することがないようにされている。
【００４１】
また、本実施形態では、中枠１６に形成された貫通孔５８の右側下方において、取付穴９８ａ等と同様の構造とされた取付穴１１８が形成されていると共に、メインセット６２において取付穴１１８と重なる位置に対して、挿通穴１００ａと同様の構造とされた挿通穴１２０が形成されている。
【００４２】
そして、メインセット６２が閉じられた状態で、挿通穴１２０が取付穴１１８に重ね合わされて、取付穴１１８の背面から前述のナイラッチ１０４と同様の構造とされたナイラッチ１２２が取り付けられることにり、メインセット６２に形成された開口部７４の周縁部分が中枠１６に対して押し付けられるように固定されることとなる。
【００４３】
また、メインセット６２には、メインセット６２が裏側に固定された中枠１６が外枠１２に対して閉じられた状態で、メインセット６２の外面において外枠１２の内周面１３６に対向位置せしめられる部分の近くに位置ずれ検出手段としての検出スイッチ１２４が設けられている（図１１，図１３及び図１４参照）。そこにおいて、本実施形態では、中枠１６の外枠１２に対する回動中心軸線：Ｌの近くに検出スイッチ１２４が設けられており、特に本実施形態では、メインセット６２における開口部７４が形成された部位の近くに設けられている。
【００４４】
この検出スイッチ１２４は、図１１に示されているように、従来から公知のマイクロスイッチやリミットスイッチによって構成されており、可動接点バネ１２６をそれ自身が有する付勢力に抗して変位せしめることにより、ＯＮ状態とされるようになっている。
【００４５】
そこにおいて、本実施形態では、検出スイッチ１２４の近くに補助バネ１２８が配設されている。この補助バネ１２８は、ばね鋼等で形成された板バネが、側面から見た場合に略三角形となるように折り曲げられた形状を呈しており、特に本実施形態では、自由端側の山折部１３０において二つの面が為す角度が鈍角とされている一方、固定端側の山折部１３２において二つの面の為す角度が鋭角とされている。このような補助バネ１２８は、メインセット６２の内側に形成された支軸１３４に対して一端が支持された状態で、検出スイッチ１２４の近くに配設されている。そして、このように検出スイッチ１２４の近くに配設された状態で、補助バネ１２８は、検出スイッチ１２４のＯＦＦ状態が維持されるようにして、検出スイッチ１２４の可動接点バネ１２６に当接せしめられている。
【００４６】
また、上述の如く検出スイッチ１２４の近くに配設された状態で、補助バネ１２８における自由端側の山折部１３０は、図１２にも示されているように、メインセット６２の外表面において外枠１２の内周面１３６（図１３及び図１４参照）に対向位置せしめられる部分に開口形成された開口窓１３８からメインセット６２の外側に突出せしめられている。
【００４７】
そして、例えば、外枠１２に対して閉じられた中枠１６の裏側にメインセット６２が取り付けられることにより、メインセット６２が外枠１２の内側に収容位置せしめられる方向に移動してくる場合には、先ず、図１３に示されているように、補助バネ１２８において自由端側の山折部１３０よりも固定端側の山折部１３２側の傾斜面に対して、外枠１２に取り付けられたガイド金具１４０の屈曲部１４２が当接せしめられた後、かかる傾斜面上をガイド金具１４０の屈曲部１４２が摺動せしめられることとなる。その際、外枠１２によって補助バネ１２８がメインセット６２の内側、即ち、検出スイッチ１２４があるほうに押し込まれるようになっている。その結果、検出スイッチ１２４がＯＮ状態となる方向に可動接点バネ１２６が押されるようになっている。そして、図１４に示されているように、補助バネ１２８における自由端側の山折部１３０がガイド金具１４０に当接せしめられた状態になると、検出スイッチ１２４がＯＮ状態となり、本実施形態では、この状態が、中枠１６の裏側にメインセット６２が正確に取り付けられていると共に、中枠１６が外枠１２に対して閉じられた状態とされている。
【００４８】
そこにおいて、本実施形態では、図１５に示されているように、検出スイッチ１２４は、パチンコ機１０の作動全体を制御する主制御回路１４４に接続されており、主制御回路１４４において、検出スイッチ１２４がＯＦＦ状態となっていること、即ち、検出スイッチ１２４からの検出信号が入力されていないことが確認された場合、報知ＬＥＤ１４６の点灯を制御する光制御回路１４８に対して、主制御回路１４４から制御信号が送信されて、かかる制御信号に基づいて光制御回路１４８が報知ＬＥＤ１４６を点灯乃至は点滅制御するようになっていると共に、パチンコ機１０が設置された遊技ホールの監視装置１５０に対しても、主制御回路１４４から信号が送信されて、遊技ホールの監視装置１５０によって検出スイッチ１２４からの検出信号が入力されていないことが確認されるようになっている。その結果、検出スイッチ１２４がＯＦＦ状態になっていること、即ち、外枠１２に対するメインセット６２の位置ずれが報知されるようになっている。これらの説明から明らかなように、本実施形態では、検出スイッチ１２４がＯＮ状態となる位置、即ち、中枠１６の裏側にメインセット６２が正確に取り付けられていると共に、中枠１６が外枠１２に対して閉じられた状態となるような外枠１２に対するメインセット６２の位置が所定の位置とされており、この所定位置からの位置ずれが検出スイッチ１２４がＯＦＦ状態となることによって検出されるようになっているのである。また、上述の説明から明らかなように、本実施形態では、報知ＬＥＤ１４６を含んで報知手段が構成されている。なお、報知ＬＥＤ１４６が設けられる位置は、特に限定されることはなく、例えば、ガラス扉１８等に設けられる。
【００４９】
このような構造とされたパチンコ機１０においては、メインセット６２が裏側に取り付けられた中枠１６が外枠１２に対して閉じられた状態で、メインセット６２に設けられた検出スイッチ１２４の可動接点バネ１２６が外枠１２の内周面１３６に押し当てられた補助バネ１２８によって変位せしめられており、それによって、検出スイッチ１２４がＯＮ状態とされていることから、中枠１６が外枠１２に対して開かれた場合に、補助バネ１２８による可動接点バネ１２６の押圧作用が解除されて、検出スイッチ１２４がＯＦＦ状態となる。その結果、中枠１６が外枠１２に対して開かれた状態が検出スイッチ１２４によって検出されることとなり、また、それに伴って、報知ＬＥＤ１４６が点灯乃至は点滅制御されて、中枠１６が外枠１２に対して開かれたことが報知されるようになっている。
【００５０】
また、メインセット６２が中枠１６の裏側から外れた場合、具体的には、例えば、メインセット６２の下端が中枠１６の背面（裏面）から離れることにより、メインセット６２が中枠１６の裏面に対して傾いた場合であっても、中枠１６が外枠１２に対して開かれた場合と同様に、検出スイッチ１２４がＯＦＦ状態となる。その結果、メインセット６２が中枠１６の裏側から外れたことが検出スイッチ１２４によって検出されることとなり、また、それに伴って、報知ＬＥＤ１４６が点灯乃至は点滅制御されて、メインセット６２が中枠１６の裏側から外れていることが報知されるようになっている。
【００５１】
従って、上述の如き構造とされたパチンコ機１０においては、中枠１６が外枠１２に対して開かれた状態であるか否かの検出と、メインセット６２が中枠１６から外れた状態であるか否かの検出とが、一つの検出スイッチ１２４によって実現することが出来るようになっている。
【００５２】
そして、上述の如く、中枠１６が外枠１２に対して開かれた状態であるか否かの検出が可能とされていることにより、中枠１６を外枠１２に対して開いて、所謂ぶら下がり基板を取り付けたり、主制御基板や払出制御基板を取り替えたりする不正行為を有利に防止することが可能となる。
【００５３】
また、上述の如く、メインセット６２が中枠１６の裏側から外れた状態であるか否かの検出が可能とされていることにより、上皿３０内に開口形成された連通孔３２から手や適当な道具を入れて、メインセット６２と中枠１６との間に隙間を形成し、かかる隙間からピアノ線等を挿し込んで、パチンコ機１０の内部を這わせて、遊技領域２８に設けられた入賞装置を入賞しやすい状態にする不正行為を有利に防止することが可能となる。
【００５４】
そこにおいて、本実施形態では、貫通孔５８に近い位置にナイラッチ１２２が設けられていることから、貫通孔５８が形成された部位におけるメインセット６２の中枠１６への固定強度を有効に確保することが可能となる。その結果、貫通孔５８の付近の隙間からピアノ線や冶具等が挿し込まれるおそれ等が軽減され得て、不正行為を有効に防止することが可能となる。
【００５５】
特に本実施形態では、ナイラッチ１２２が貫通孔５８の外側の近接した位置に設けられていることから、例えばピアノ線が挿し込まれるような不正行為が行われた場合において、ピアノ線を貫通孔５８に到達せしめる際にナイラッチ１２２自体が障害物となって、ピアノ線の挿し込みを困難にすることが可能となる。その結果、より有効に不正行為を防止することが可能となる。
【００５６】
また、本実施形態では、補助バネ１２８における自由端側の山折部１３０の稜線が、メインセット６２の回動時における軌跡の接線に対して略直交するようになっていることから、中枠１６の裏側にメインセット６２を取り付ける際において、ガイド金具１４０の屈曲部１４２が補助バネ１２８の自由端側の山折部１３０の稜線に対して略直交する方向で補助バネ１２８に摺動せしめられることとなる。その結果、補助バネ１２８の自由端側の山折部１３０の稜線に対して略平行な方向でガイド金具１４０の屈曲部１４２が補助バネ１２８に摺動せしめられる場合に比して、補助バネ１２８がガイド金具１４０の屈曲部１４２に引っ掛かることがなくなり、メインセット６２が裏側に取り付けられた中枠１６が外枠１２に対して閉じられた状態を実現するために要する時間を短くすることが可能となる。
【００５７】
特に本実施形態では、補助バネ１２８がガイド金具１４０に対して摺動せしめられるようになっていることから、補助バネ１２８が外枠１２に対して直接に摺動せしめられる場合に比して、メインセット６２が裏側に取り付けられた中枠１６が外枠１２に対して閉じられた状態を実現するために要する時間を一層短くすることが可能となる。
【００５８】
また、本実施形態では、検出スイッチ１２４が中枠１６の外枠１２に対する回動中心軸線：Ｌの近くに位置せしめられていることから、中枠１６の重量に起因する検出スイッチ１２４の誤検出を有利に回避することが可能となる。
【００５９】
特に本実施形態では、検出スイッチ１２４の可動接点バネ１２６が補助バネ１２８を介して押圧操作されるようになっていることから、設計時や組付時の寸法誤差を有利に吸収することが可能となる。その結果、検出スイッチ１２４によるメインセット６２の外枠１２に対する位置ずれ検出の安定化を図ることが可能となる。
【００６０】
次に、本発明の第二の実施形態について説明する。なお、以下の説明において、第一の実施形態と同様な構造とされた部材及び部位については、図中に、第一の実施形態と同一の符号を付すことにより、それらの詳細な説明を省略する。
【００６１】
本発明の第二の実施形態では、補助バネ（１２８）が設けられておらず、その代わりに、図１６に示されているように、メインセット６２の内側に突設された支軸１５２回りに支持板１５４が回動可能に取り付けられたローラ１５６が設けられており、かかるローラ１５６がメインセット６２の開口窓１３８からメインセット６２の外側に突出せしめられている。
【００６２】
そして、本実施形態では、中枠１６の裏側に対してメインセット６２を取り付ける場合等、外枠１２に対してメインセット６２が相対変位せしめられる際において、図１７に示されているように、ローラ１５６が外枠１２の内周面１３６に取り付けられた金属製の台座１５８に乗り上げて、ローラ１５６を支持する支持板１５４が支軸１５２回りに回動せしめられることにより、検出スイッチ１２４の可動接点バネ１２６が押されることとなる。その結果、検出スイッチ１２４がＯＮ状態となる。そして、本実施形態では、この状態が、中枠１６の裏側にメインセット６２が正確に取り付けられていると共に、中枠１６が外枠１２に対して閉じられた状態とされている。
【００６３】
従って、本実施形態においても、第一の実施形態と同様な効果を得ることが可能となる。
【００６４】
また、本実施形態では、ローラ１５６が台座１５８に乗り上げるようになっていることから、外枠１２に対するメインセット６２の相対変位を滑らかにすることが可能となる。
【００６５】
以上、本発明の幾つかの実施形態について詳述してきたが、これらはあくまでも例示であって、本発明は、かかる実施形態における具体的な記載によって何等限定的に解釈されるものではない。
【００６６】
例えば、前記第一及び第二の実施形態において、複数の検出スイッチを採用しても良い。そこにおいて、メインセットの上端側にも検出スイッチを設ける場合には、メインセットの上端が中枠の裏面から離れることにより、メインセットが中枠の裏面に対して傾いていることを有利に検出することが可能となる。また、前記第一及び第二の実施形態において、中枠の外枠に対する回動中心軸線が位置するほうとは反対側に検出スイッチを設けても良いし、メインセットの上側や下側に対して検出スイッチを設けても良い。
【００６７】
また、前記第一の実施形態において、上皿３０は、ガラス扉１８に対して一体的に設けられている必要はない。具体的には、例えば、ガラス扉１８とは別体形成されて、中枠１６に対して回動可能に取り付けられる皿板に上皿を設けるようにしても良い。
【００６８】
また、前記第一及び第二の実施形態において、賞球タンク６６は、必ずしもメインセット６２に設けられる必要は無く、例えば、賞球タンク６６を中枠１６に設けて、メインセット６２の取付状態において、賞球タンク６６とタンクレール７０とを接続するようにしても良い。
【００６９】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【図面の簡単な説明】
【００７０】
【図１】本発明の第一の実施形態としてのパチンコ機を示す正面図。
【図２】同パチンコ機の背面図。
【図３】同パチンコ機のガラス扉を取り外した状態の正面図。
【図４】同パチンコ機のメインセットを取り外した状態の背面図。
【図５】同パチンコ機のガラス扉の背面図。
【図６】同パチンコ機のメインセットの背面図。
【図７】同メインセットの正面側の斜視図。
【図８】同パチンコ機の外枠裏側の要部を説明するための斜視図。
【図９】中枠へのメインセットの取付方法を説明するための説明図。
【図１０】ナイラッチを説明するための説明図。
【図１１】検出スイッチを説明するための斜視図。
【図１２】メインセットに対する補助バネの位置を説明するための斜視図。
【図１３】検出スイッチの作動を説明するための平面図。
【図１４】検出スイッチの作動を説明するための平面図。
【図１５】本実施形態のパチンコ機の回路を示すブロック図。
【図１６】本発明の第二の実施形態としてのパチンコ機で採用される検出スイッチの作動を説明するための平面図。
【図１７】本実施形態の検出スイッチの作動を説明するための平面図。
【符号の説明】
【００７１】
１０：パチンコ機，１２：外枠，１６：中枠，６２：メインセット，１２４：検出スイッチ
【図７】
2008006038.tif 000003
【図８】
2008006038.tif 000004
【図９】
2008006038.tif 000005
【図１０】
2008006038.tif 000006
【図１１】
2008006038.tif 000007
【図１２】
2008006038.tif 000008
【図１３】
2008006038.tif 000009
【図１４】
2008006038.tif 000010
【図１５】
2008006038.tif 000011
【図１６】
2008006038.tif 000012
【図１７】
2008006038.tif 000013
【図１】
2008006038.tif 000014
【図２】
2008006038.tif 000015
【図３】
2008006038.tif 000016
【図４】
2008006038.tif 000017
【図５】
2008006038.tif 000018
【図６】
2008006038.tif 000019